(57)【要約】  ガマット・エラーの通知や通知解除の条件を、ユーザーが選択的に設定可能にすることを目的とする。このために、入力映像信号のガマット・エラーを検出する検出手段３と、ガマット・エラーが発生したことを互いに異なる方法で通知する複数の通知手段５、８及び６、９及び１１を備える。そして、これらの通知手段のうちのいずれに通知を行わせるかの設定操作と、ガマット・エラーの通知解除の条件の設定操作とを行う設定手段１５を備える。この設定手段１５による設定結果を示す情報は、記憶手段１４に記憶させる。さらに、制御手段１３の制御で、検出手段３によりガマット・エラーが検出されたことに基づき、記憶手段１４から取得した情報が示す通知手段に、ガマット・エラーの通知と、その情報が示す条件でのガマット・エラーの通知の解除とを行わせる。
2009025102.tif 000002
【特許請求の範囲】
【請求項１】
入力映像信号のガマット・エラーを検出するガマット・エラー検出手段と、
ガマット・エラーが発生したことを互いに異なる方法で通知する複数の通知手段と、
前記複数の通知手段のうちのいずれの通知手段にガマット・エラーを通知させるかを設定する操作と、ガマット・エラーの通知を解除する条件を設定する操作とを行うための設定手段と、
前記設定手段による設定結果を示す情報が記憶される記憶手段と、
前記ガマット・エラー検出手段によってガマット・エラーが検出されたことに基づき、前記記憶手段から前記設定結果を示す情報を取得し、前記複数の通知手段のうち該情報が示す通知手段に、ガマット・エラーの通知と、該情報が示す条件でのガマット・エラーの通知の解除とを行わせる制御手段と
を備えたガマット・エラーの通知装置。
【請求項２】
請求項１に記載のガマット・エラーの通知装置において、
入力映像信号を画像表示するための表示手段を備えており、
前記複数の通知手段は、
前記表示手段に表示される映像のうち、ガマット・エラーが発生した画素位置の部分にゼブラパターンを重ねて表示する手段と、
ガマット・エラーが発生したことをオンスクリーンディスプレイ機能によって前記表示手段に表示する手段と
を含むガマット・エラーの通知装置。
【請求項３】
請求項１に記載のガマット・エラーの通知装置において、
入力映像信号を画像表示するための表示手段と、
インジケータとを備えており、
前記複数の通知手段は、
前記表示手段に表示される映像のうち、ガマット・エラーが発生した画素位置の部分にゼブラパターンを重ねて表示する手段と、
ガマット・エラーが発生したことをオンスクリーンディスプレイ機能によって前記表示手段に表示する手段と
のうちの少なくともいずれか一方と、
ガマット・エラーが発生したことを前記インジケータの点灯状態によって示す手段と
を含むガマット・エラーの通知装置。
【請求項４】
請求項１に記載のガマット・エラーの通知装置において、
前記設定手段では、ガマット・エラーの通知を解除する条件として、
ガマット・エラーが検出されなくなったフレームで通知を解除するという条件と、
通知を開始してから一定時間経過後に通知を解除するという条件とを設定可能である
ガマット・エラーの通知装置。
【請求項５】
請求項１に記載のガマット・エラーの通知装置において、
ガマット・エラーの通知の解除を指示する操作を行うための指示手段を備えており、
前記設定手段では、ガマット・エラーの通知を解除する条件として、
ガマット・エラーが検出されなくなったフレームで通知を解除するという条件と、
通知を開始してから一定時間経過後に通知を解除するという条件とのうちの少なくともいずれか一方と、
前記指示手段が操作されたタイミングで通知を解除するという条件とを設定可能である
ガマット・エラーの通知装置。
【請求項６】
入力映像信号のガマット・エラーを検出するガマット・エラー検出部と、
ガマット・エラーが発生したことを互いに異なる方法で通知する複数の通知部と、
前記複数の通知部のうちのいずれの通知手段にガマット・エラーを通知させるかを設定する操作と、ガマット・エラーの通知を解除する条件を設定する操作とを行うための設定部と、
前記設定部による設定結果を示す情報が記憶される記憶部と、
前記ガマット・エラー検出部によってガマット・エラーが検出されたことに基づき、前記記憶部から前記設定結果を示す情報を取得し、前記複数の通知部のうち該情報が示す通知部に、ガマット・エラーの通知と、該情報が示す条件でのガマット・エラーの通知の解除とを行わせる制御部と
を備えたガマット・エラーの通知装置。
【発明の詳細な説明】
【技術分野】
【０００１】
本発明は、入力映像信号のガマット・エラーを検出して通知する装置に関し、特に、ガマット・エラーの通知手段やガマット・エラーの通知を解除する条件を選択的に設定可能にしたものに関する。
【背景技術】
【０００２】
映像信号には、各々の信号フォーマットによって有効な振幅レベルの上限及び下限が定められており、この上限と下限との間の領域（有効な映像信号として扱える全領域であるガマット）を逸脱すると、色を正確に再現できなくなる。【０００３】
そこで、従来から、映像表示用のモニターには、入力映像信号のガマット・エラーを検出する機能を有するものが存在している。そうした従来のモニターでは、ガマット・エラーが検出されたフレームにおいて、モニターに画面表示される映像のうち、ガマット・エラーが検出された画素位置にゼブラパターン（縞模様）を重ねて表示するという、１通りの手段でのみ、ガマット・エラーの発生をユーザーに通知していた。【０００４】
また、文献上、従来から、ガマット・エラーの通知手段に特徴を持たせた技術として、入力映像信号を波形として表示する（パレード表示）することによりガマット・エラーの量及び方向を視覚的にわかりやすくした技術（例えば日本国特許庁発行の特開平６−３０３６４８号公報）や、入力映像信号をモノクロ表示するとともに、ガマット・エラーが検出された画素位置の部分をエラーの状態に応じた色でカラー表示する技術（例えば日本国特許庁発行の特開２００５−１２８０２号公報）が提案されている。しかし、それらの文献に記載された技術でも、ガマット・エラーの通知手段は１通りのみである。【０００５】
ところで、上述したような従来のガマット・エラーの通知手段には、それぞれに特有の長所と短所とが存在する。例えば、ゼブラパターンを表示するという通知手段には、画面上で本来の映像をあまり隠さずに済むという長所が存在する反面、ガマット・エラーの発生領域が小さい場合に、ゼブラパターンの表示領域も小さくなるので見落としやすい（特に、動画像ではゼブラパターンの表示位置がフレーム毎に変化するので見落としやすい）という短所が存在する、といった具合である。【０００６】
そして、ガマット・エラーを監視する際に何を優先させたいと希望するのか（例えば、本来の映像をあまり隠さないことを優先させたいのか、あるいは本来の映像を隠してでもガマット・エラーの通知を見落としにくくすることを優先させたいのか）は、ユーザーによって様々であり、また同じユーザーでもガマット・エラーを監視する目的によって相違することがある。【０００７】
しかるに、従来のモニターや、従来の文献に記載された技術では、ガマット・エラーの通知手段は１通りのみであるため、ユーザーが希望するような形でガマット・エラーを監視できるとは限らなかった。【０００８】
また、ガマット・エラーの発生を通知した後に、その通知を解除する条件についても、それぞれの条件に特有の長所と短所とが存在する。例えば、ガマット・エラーが検出されなくなったフレームで通知を解除する（すなわちガマット・エラーが検出されたフレームでのみ通知を行う）という条件では、現在のフレームでガマット・エラーが発生しているのか否かを明確に識別できるという長所が存在する反面、エラーの発生が一瞬であった場合にユーザーが通知を見落としやすいという短所が存在する、といった具合である。【０００９】
そして、ガマット・エラーの通知解除の条件としてどのような条件を希望するかも、ユーザーによって様々であり、同じユーザーでもガマット・エラーを監視する目的によって相違することがある。【００１０】
そこで、本発明は、ガマット・エラーの通知手段やガマット・エラーの通知を解除する条件を、ユーザーが選択的に設定可能にしたガマット・エラーの通知装置を提供することを課題とする。
【発明の開示】
【００１１】
この課題を解決するため、本発明に係るガマット・エラーの通知装置は、入力映像信号のガマット・エラーを検出するガマット・エラー検出手段と、ガマット・エラーが発生したことを互いに異なる方法で通知する複数の通知手段とを備える。そして、これらの通知手段のうちのいずれに通知を行わせるかの設定操作と、ガマット・エラーの通知解除の条件の設定操作とを行う設定手段を備える。この設定手段による設定結果を示す情報は、記憶手段に記憶させる。さらに、制御手段の制御で、検出手段によりガマット・エラーが検出されたことに基づき、記憶手段から取得した情報が示す通知手段に、ガマット・エラーの通知と、その情報が示す条件でのガマット・エラーの通知の解除とを行わせる。
【００１２】
このガマット・エラーの通知装置では、ガマット・エラーの発生を互いに異なる方法で通知する複数の通知手段が設けられるとともに、そのうちのいずれの通知手段にガマット・エラーを通知させるかの設定操作と、ガマット・エラーの通知解除の条件の設定操作とを行うための設定手段が設けられている。
【００１３】
ユーザーが、ガマット・エラーを監視する目的などに応じて、いずれの通知手段にガマット・エラーを通知させるかの設定操作と、ガマット・エラーの通知解除の条件を設定する操作とを設定手段で行うと、その設定結果を示す情報が記憶手段に記憶される。
【００１４】
その後、ガマット・エラー検出手段によって入力映像信号にガマット・エラーが検出されると、制御手段が、記憶手段からこの設定結果を示す情報を取得し、複数の通知手段のうちその情報が示す通知手段に、ガマット・エラーの通知と、その情報が示す条件でのガマット・エラーの通知の解除とを行わせる。
【００１５】
これにより、ユーザーが設定した通知手段によってガマット・エラーの発生が通知されるとともに、ユーザーが設定した条件でその通知が解除される。
【００１６】
本発明によれば、ガマット・エラーが発生したことを互いに異なる方法で通知するようにした内の、ユーザーが設定した通知方法によってガマット・エラーの発生が通知されるとともに、ユーザーが設定した条件でその通知が解除される。したがって、ユーザーがガマット・エラーを監視する際の利便性を高めることができるという効果が得られる。
【図面の簡単な説明】
【００１７】
【図１】本発明の一実施の形態の例を採用したマスターモニターの回路構成を示すブロック図である。
【図２】図１のマスターモニターにおいてガマット・エラー検出の基準として用いるデフォルト値を示す図である。
【図３】図１のマイクロプロセッサが実行する通知・解除条件設定保存処理を示すフローチャートである。
【図４】図１のマイクロプロセッサが実行するガマット・エラー通知処理を示すフローチャートである。
【図５】本発明の一実施の形態の例による表示例（ゼブラパターンの例）を示す図である。
【図６】本発明の一実施の形態の例による表示例（文字表示の例）を示す図である。
【図７】本発明の一実施の形態の例による表示例（インジケータ点灯の例）を示す図である。
【図８】本発明の一実施の形態の例による設定画面の例を示す図である。
【図９】本発明の一実施の形態の例による設定画面の例を示す図である。
【図１０】本発明の一実施の形態の例による設定画面の例を示す図である。
【図１１】本発明の一実施の形態の例による設定画面の例を示す図である。
【発明を実施するための最良の形態】
【００１８】
以下、本発明をマスターモニター（テレビジョン放送局や映像製作の現場などで、画質のチェックなどを行うために用いるモニター）に採用した一実施の形態の例を、図面を用いて具体的に説明する。【００１９】
図１は、本発明を採用したマスターモニターの回路構成を示すブロック図である。このマスターモニター１には、映像入力部２と、ガマット・エラー検出部３と、映像処理部４と、ゼブラパターン付加部５と、映像合成部６と、液晶表示部７と、ＯＳＤ（オンスクリーンディスプレイ）制御部８とが設けられている。またマスターモニター１には、ＬＥＤランプなどから成るインジケータ９と、インジケータ９の点灯状態を制御するインジケータ制御部１０と、タイマー１１と、フレームカウンタ１２と、マイクロプロセッサ１３と、ＮＶＲＡＭ（不揮発性ＲＡＭ）１４と、操作パネル１５とが設けられている。【００２０】
インジケータ９は、例えば図５に示すように、液晶表示部７の液晶画面の下方に配置されている。なお、マスターモニター１は、液晶表示部７，インジケータ９及びインジケータ制御部１０がモニター本体としてそれ以外の部分と分離した構成になっていてもよい。また、操作パネル１５も、それ以外の部分とは分離したリモートコントローラであってもよい。【００２１】
映像入力部２は、シリアル伝送される下記の（1）〜（4）の４種類の信号フォーマットのデジタル映像信号を入力し、それらの映像信号をデコード（ＮＲＺ変換やデスクランブルやパラレル変換）する回路である。
（1）Ｄ１／ＨＤ−ＳＤＩ  ＹＣｂＣｒ  １０ビット
（2）ＨＤ−ＳＤＩ  ＲＧＢ  １０ビット
（3）ＨＤ−ＳＤＩ  ＹＣｂＣｒ  １２ビット
（4）ＨＤ−ＳＤＩ  ＲＧＢ  １２ビット【００２２】
映像入力部２でデコードされた入力映像信号は、ガマット・エラー検出部３に送られる。ガマット・エラー検出部３は、入力映像信号の個々の画素（ドット）のデータ毎に、そのデータの振幅レベルが、入力映像信号の信号フォーマットにおける有効な振幅レベルを逸脱しているか否かを判別することにより、ガマット・エラーを検出する回路である。【００２３】
ガマット・エラー検出部３がガマット・エラー検出の基準として用いる振幅レベルの上限,下限の閾値は、マスターモニター１の工場出荷時に、信号フォーマット毎に、図２に示すようなデフォルト値に設定されている。この図２において、１０ビットの映像信号についての閾値は、信号の最大レベルを２１０−１＝１０２３としたときのレベルで表しており、１２ビットの映像信号についての閾値は、信号の最大レベルを２１２−１＝４０９５としたときのレベルで表している。【００２４】
図１のマイクロプロセッサ１３は、マスターモニター１の各部を制御するプロセッサである。図２に示したデフォルト値は、マイクロプロセッサ１３内のＲＯＭに格納されている。【００２５】
また、操作パネル１４では、ガマット・エラー検出部３がガマット・エラー検出の基準として用いる振幅レベルの上限,下限の閾値として、信号フォーマット毎に、図２に示したデフォルト値とは異なる値を設定する操作が可能になっている。操作パネル１４で設定された閾値は、マイクロプロセッサ１３によってＮＶＲＡＭ１４に記憶される。【００２６】
マイクロプロセッサ１３は、ＮＶＲＡＭ１４に閾値が記憶されている場合には、その閾値をガマット・エラー検出の基準として用いたガマット・エラーの検出動作を、ガマット・エラー検出部３に行わせる。また、ＮＶＲＡＭ１４に閾値が記憶されていない場合には、ＲＯＭに格納されているデフォルト値をガマット・エラー検出の基準として用いたガマット・エラーの検出動作を、ガマット・エラー検出部３に行わせる。【００２７】
ガマット・エラー検出部３から出力された映像信号は、映像処理部４に送られる。映像処理部４は、映像信号に対して、ＹＣｂＣｒ信号をＲＧＢ信号に変換する処理や、インターレース方式の映像信号をプログレッシブ方式に変換する処理を行う回路である。また映像処理部４は、映像信号のサイズを液晶表示部１２の表示サイズに合わせて変更する処理や、液晶モニターにおいてＣＲＴモニターに近い色再現特性を実現させる処理（カラーマッチング）などを施す回路を備える。【００２８】
映像処理部４から出力された映像信号は、ゼブラパターン付加部５に送られる。ゼブラパターン付加部５は、映像信号に、ゼブラパターン（縞模様）を表示する画像データを付加する回路である。【００２９】
ゼブラパターン付加部５から出力された映像信号は、映像合成部６に送られる。映像合成部６は、映像信号に、ＯＳＤ制御部８から送られる文字や図形の画像データを合成する回路である。【００３０】
映像合成部６から出力された映像信号は、液晶表示部７に送られて、その液晶画面に表示される。【００３１】
このマスターモニター１では、ガマット・エラーが発生したことを、下記の（a）〜（c）の３通りの通知手段により、互いに異なる方法で通知することが可能になっている。【００３２】
（a）ゼブラパターン付加部５によって構成され、ガマット・エラーが検出されたフレームにおいて、液晶表示部７に表示される映像のうち、ガマット・エラーが検出された画素位置にゼブラパターン（縞模様）を重ねて表示する通知手段。【００３３】
（b）ＯＳＤ制御部８及び映像合成部６によって構成され、ガマット・エラーが発生したことをオンスクリーンディスプレイ機能によって液晶表示部７に表示する通知手段。【００３４】
（c）インジケータ９及びインジケータ制御部１０によって構成され、ガマット・エラーが発生したことをインジケータ９の点灯によって示す通知手段。【００３５】
図５は、上記(a)の通知例を示したものである。即ち、液晶表示部７に表示される映像のうち、ガマット・エラーが検出された画素位置に、ゼブラパターン（縞模様）１０１を重ねて表示する例を示している。【００３６】
図６は、上記（b）の通知例を示したものである。液晶表示部７に表示される映像のうち、左隅などの決められた位置に、ガマット・エラーが発生したことを示す「Ｇａｍｕｔ  Ｅｒｒｏｒ」の文字表示１０２を、オンスクリーンディスプレイ機能によって重ねて表示する例を示している。文字表示１０２を行う位置は一例であり、この例に限定されない。文字表示１０２は、連続的な表示形態の他に、点滅表示としてもよい。【００３７】
図７は、上記（c）の通知例を示したものである。液晶表示部７の右下に配置されたＬＥＤランプなどから成るインジケータ９を点灯又は点滅させた例を示している。図７に示したインジケータ９を配置する位置は一例であり、その他の位置に配置してもよい。また、他の機能で通知を行うインジケータと兼用してもよい。【００３８】
これらの図５，図６，図７の通知処理は、通知手段の設定により組み合わせて実行されるようにしてもよい。即ち、例えば図５に示したゼブラパターン１０１の表示と、図６に示した文字表示１０２を同時に行うようにしてよい。さらに、図５に示したゼブラパターン１０１の表示と、図６に示した文字表示１０２のいずれか一方（又は双方）と、図７に示したインジケータ９の点灯を同時に行うようにしてもよい。【００３９】
これらの（a）〜（c）の通知手段には、それぞれ次のような長所と短所とが存在する通知手段である。【００４０】
（a）：画面上で本来の映像をあまり隠さずに済むという長所が存在する反面、ガマット・エラーの発生領域が小さい場合に、ゼブラパターンの表示領域も小さくなるので見落としやすい（特に、動画像ではゼブラパターンの表示位置がフレーム毎に変化するので見落としやすい）という短所が存在する。【００４１】
（b）：オンスクリーンディスプレイ機能によって表示される文字や図形の大きさや位置は一定なので、ガマット・エラーの発生領域が小さい場合でも見落としのおそれが少ないとう長所が存在する反面、本来の映像を隠してしまうという短所が存在する。【００４２】
（c）：液晶表示部７とは別のインジケータ９によって通知が行われるので、画面上で本来の映像を全く隠さずに済むという長所が存在する反面、画面のほうを注視していると見落としやすいという短所が存在する。【００４３】
操作パネル１５では、上記（a）〜（c）の通知手段のうちの任意の１または２以上の通知手段を、実際にガマット・エラーを通知させる通知手段として選択する設定操作（以下、「通知手段設定操作」と呼ぶ）を行うことが可能になっている。【００４４】
また、操作パネル１５では、この通知手段設定操作で設定した通知手段によってガマット・エラーが通知されている最中に、ガマット・エラーの通知の解除を指示する操作（以下、「解除指示操作」と呼ぶ）を行うことが可能になっている。【００４５】
また、操作パネル１５では、ガマット・エラーの通知を解除する条件として、下記の（d）〜（f）の３通りの条件のうちのいずれかを選択する設定操作（以下、「解除条件設定操作」と呼ぶ）を行うことが可能になっている。【００４６】
（d）ガマット・エラーが検出されなくなったフレームで通知を解除する（すなわちガマット・エラーが検出されたフレームでのみ通知を行う）という条件。
（e）通知を開始してから一定時間経過後に通知を解除するという条件。
（f）操作パネル１５で解除指示操作が行われたタイミングで通知を解除するという条件。【００４７】
但し、ゼブラパターンは、“ガマット・エラーが検出されたフレームにおいて、ガマット・エラーが検出された画素位置に表示する”という本来の性質上、強制的に（d）の条件に設定され、（e）や（f）の条件には設定できないようになっている。【００４８】
なお、これらの通知手段設定操作や解除指示操作や解除条件設定操作は、操作パネル１５に専用の操作釦を設けて行うようになっていてもよいし、あるいは、操作パネル１５に設けられている表示部にこれらの操作を行うための設定画面を表示して行うようになっていてもよい。【００４９】
図８〜図１１は、操作パネル１５の操作で、液晶表示部７又は専用の表示部に、“ガマット・エラー”の設定画面を表示させた場合の例を示した図である。
図８〜図１１に示すように、各設定画面の最上段には、“ガマット・エラー”と表示させて、ガマット・エラーの設定画面であることを示している。【００５０】
図８〜図１１に示した各設定項目について説明すると、「ガマット・エラーディスプレイ」の項目を、オン又はオフに選択することで、ガマット・エラーの通知を行うか否かを選択することができる。
「通知」の項目を、ＬＥＤ，ＯＳＤ，ＬＥＤ＆ＯＳＤのいずれかに選択することで、それぞれの通知形態を選択することができる。
「通知解除」の項目を、オート又はマニュアルに選択することで、それぞれの通知が解除される状態を選択することができる。
「ゼブラパターン」の項目を、オン又はオフに選択することで、ゼブラパターンによる通知を行うか否かを選択することができる。
なお、図８〜図１１の設定画面の例では、各項目が選択できる状態で示してあるが、例えばカーソル操作などで選択したいずれか１つの項目だけを選択できる表示態様とし、その他の項目は確定した表示態様としてもよい。【００５１】
図８〜図１１に示した各設定画面の具体例について説明する。図８の例では、ガマット・エラーディスプレイの項目はオンとして、ガマット・エラー通知を行うことを選択してある。通知の項目は、ＬＥＤとして、インジケータ９による通知（図７の通知）を行う選択としてある。通知解除の項目は、マニュアルとして、操作パネル１５で解除指示操作が行われたタイミングで通知を解除することを選択してある。ゼブラパターンの項目は、オフとして、ゼブラパターン表示をしないことを選択してある。【００５２】
図９の例では、ガマット・エラーディスプレイの項目はオンとして、ガマット・エラー通知を行うことを選択してある。通知の項目は、ＬＥＤ＆ＯＳＤとして、インジケータ９による通知（図７の通知）と、オンスクリーンディスプレイ機能による通知（図６の通知）との双方を行う選択としてある。通知解除の項目は、マニュアルとして、操作パネル１５で解除指示操作が行われたタイミングで通知を解除することを選択してある。ゼブラパターンの項目は、オンとして、図５に示したゼブラパターン表示を行うことを選択してある。【００５３】
図１０の例では、ガマット・エラーディスプレイの項目はオンとして、ガマット・エラー通知を行うことを選択してある。通知の項目は、ＯＳＤとして、オンスクリーンディスプレイ機能による通知（図６の通知）を行う選択としてある。通知解除の項目は、オートとして、通知を開始してから一定時間経過後に通知を解除することを選択してある。ゼブラパターンの項目は、オンとして、図５に示したゼブラパターン表示を行うことを選択してある。【００５４】
図１１の例では、ガマット・エラーディスプレイの項目をオフとして、ガマット・エラー通知をしないことを選択してある。図１１の例では、このガマット・エラー通知をしない選択を行うことで、その他の詳細項目の表示を行わない状態としてある。
この図８〜図１１に示した設定画面の例は、好適な例を示したものであり、設定画面としてこれらの例に限定されるものではない。【００５５】
図３は、マイクロプロセッサ１３（図１）が、操作パネル１５で通知手段設定操作または解除条件設定操作が行われたことに基づいて実行する通知手段・解除条件設定保存処理を示すフローチャートである。【００５６】
この通知手段・解除条件設定保存処理は、通知手段設定操作か解除条件設定操作かのいずれかが行われたことによってスタートし、最初に、通知手段設定操作が行われたのかを判断する（ステップＳ１）。【００５７】
イエスである場合には、その通知手段設定操作によって設定された通知手段（上記（a）〜（c）のうちの１または２以上）を示す情報を、ＮＶＲＡＭ１４に記憶する（過去に実行した通知手段・解除条件設定保存処理によってこの情報が既に記憶されている場合には、その記憶内容を更新する）（ステップＳ３）。そして通知手段・解除条件設定保存処理を終了する。【００５８】
ステップＳ１でノーであった（解除条件設定操作が行われた）場合には、その除条件設定操作によって設定された条件（上記（d）〜（f）のうちのいずれか）を示す情報を、ＮＶＲＡＭ１４に記憶する（過去に実行した処理によってこの情報が既に記憶されている場合には、その記憶内容を更新する）（ステップＳ３）。そして通知手段・解除条件設定保存処理を終了する。【００５９】
この通知手段・解除条件設定保存処理により、通知手段設定操作及び解除条件設定操作での設定結果が保存される。【００６０】
図４は、マイクロプロセッサ１３が、ガマット・エラー検出部３（図１）によって入力映像信号にガマット・エラーが検出されたことに基づいて実行するガマット・エラー通知処理を示すフローチャートである。【００６１】
このガマット・エラー通知処理は、ガマット・エラー検出部３によってガマット・エラーが検出されたことによってスタートし、最初に、ＮＶＲＡＭ１４から、通知手段・解除条件設定保存処理（図３）によって保存した設定結果（ステップＳ２によって記憶させた通知手段を示す情報と、ステップＳ３によって記憶させた条件を示す情報）を取得する（ステップＳ１１）。【００６２】
続いて、この取得した設定結果から、通知手段設定操作で設定された通知手段に、上記（a）の通知手段（ゼブラパターン表示）が含まれているか否かを判断する（ステップＳ１２）。【００６３】
イエスであれば、ゼブラパターン付加部５（図１）を制御することにより、ガマット・エラーが検出されたフレームにおいて、液晶表示部７に表示される映像のうち、ガマット・エラーが検出された画素位置にゼブラパターンを重ねて表示させる（ステップＳ１３）。そしてステップＳ１４に進む。他方、ステップＳ１２でノーであった場合には、そのままステップＳ１４に進む。【００６４】
ステップＳ１４では、通知手段設定操作で設定された通知手段に、上記（b）の通知手段（オンスクリーンディスプレイ表示）が含まれているか否かを判断する。【００６５】
イエスであれば、ＯＳＤ制御部８（図１）を制御することにより、ガマット・エラーが発生したことを示すエラーメッセージ（例えば“ガマット・エラー”という文字）を液晶表示部７にオンスクリーン表示させる（ステップＳ１５）。そしてステップＳ１６に進む。他方、ステップＳ１４でノーであった場合には、そのままステップＳ１６に進む。【００６６】
ステップＳ１６では、通知手段設定操作で設定された通知手段に、上記（c）の通知手段（インジケータ９の点灯）が含まれているか否かを判断する。【００６７】
イエスであれば、インジケータ制御部１０を制御することにより、平常時は消灯しているインジケータ９を点灯させる（ステップＳ１７）。そしてステップＳ１８に進む。他方、ステップＳ１６でノーであった場合には、そのままステップＳ１８に進む。【００６８】
ステップＳ１８では、ガマット・エラー検出部３でガマット・エラーが検出されなくなるまで待機する。【００６９】
ガマット・エラーが検出されなくなると、ステップＳ１で取得した設定結果から、解除条件設定操作で設定された条件は、上記（d）の条件（ガマット・エラーが検出されたフレームでのみ通知）であるか否かを判断する（ステップＳ１９）。【００７０】
イエスであれば、フレームカウンタ１２（図１）からのフレーム情報を参照しつつ、ステップＳ１３，Ｓ１５，Ｓ１７でガマット・エラーを通知させている通知手段に対して、ガマット・エラーが検出されなくなったフレームで通知を解除させる。すなわち、ステップＳ１３でゼブラパターンを表示させている場合は、ガマット・エラーが検出されなくなったフレームでゼブラパターンの表示を消去させる。また、ステップＳ１５でエラーメッセージをオンスクリーン表示させている場合は、ガマット・エラーが検出されなくなったフレームでオンスクリーン表示を消去させる。また、ステップＳ１７でインジケータ９を点灯させている場合は、ガマット・エラーが検出されなくなったフレームでインジケータ９を消灯させる（ステップＳ２０）。そしてガマット・エラー通知処理を終了する。【００７１】
他方、ステップＳ１９でノーであった場合には、解除条件設定操作で設定された条件は、上記（e）の条件（一定時間後に解除）であるか否かを判断する（ステップＳ２１）。【００７２】
イエスであれば、タイマー１１からの時間情報を参照しつつ、ステップＳ１３，Ｓ１５，Ｓ１７でガマット・エラーを通知させている通知手段に対して、一定時間後（例えば３秒後）に通知を解除させる（但し、ゼブラパターンについては、前述のように、ガマット・エラーが検出されなくなったフレームで強制的に表示を消去させる）（ステップＳ２２）。そしてガマット・エラー通知処理を終了する。【００７３】
他方、ステップＳ２１でノーであった場合、すなわち、解除条件設定操作で設定された条件が、上記（f）の条件（解除指示操作のタイミングで解除）であった場合には、操作パネル１５で解除指示操作が行われるまで待機する。【００７４】
そして、解除指示操作が行われると、そのタイミングで、ステップＳ１３，Ｓ１５，Ｓ１７でガマット・エラーを通知させている通知手段に対して通知を解除させる（ステップＳ２４）。そしてガマット・エラー通知処理を終了する。【００７５】
以上に説明した構成のマスターモニター１では、ユーザーが、ガマット・エラーを監視する目的などに応じて、ガマット・エラーの発生を互いに異なる方法で通知する複数の通知手段（上記（a）〜（c）の通知手段）のうちのいずれの通知手段にガマット・エラーを通知させるかの設定と、ガマット・エラーの通知解除の条件（上記（d）〜（f）のいずれかの条件）を設定とを行うことができる。【００７６】
例えば、ユーザーが、本来の映像を隠してでもガマット・エラーの通知を見落としにくくすることを優先させたいと希望する場合には、上記（b）の通知手段（オンスクリーンディスプレイ表示）を設定するとともに、上記（e）の条件（一定時間後に解除）または上記（f）の条件（解除指示操作のタイミングで解除）を設定すればよい。【００７７】
また例えば、ユーザーが、本来の映像を全く隠さないことを優先させたいと希望する場合には、上記（c）の通知手段（インジケータ９）を設定すればよい。その場合にも、例えば上記（f）の条件（解除指示操作のタイミングで解除）を設定すれば、ユーザーが解除指示操作を行うまでインジケータ９での通知が継続されるので、見落としやすいという短所を極力抑えることができる。【００７８】
このようにして設定を行った後、ガマット・エラー検出部３によって入力映像信号にガマット・エラーが検出されると、ユーザーが設定した通知手段によってガマット・エラーの発生が通知されるとともに、ユーザーが設定した条件でその通知が解除される。これにより、ユーザーがガマット・エラーを監視する際の利便性を高めることができる。【００７９】
なお、以上の実施の形態では、ガマット・エラーの通知解除の条件の設定操作は、どのような通知手段を設定しているかとは無関係に一括して行うようになっている。しかし、別の例として、２以上の通知手段を設定した場合に、個々の通知手段毎に通知解除の条件の設定操作を行えるようにしてもよい。それにより、例えば通知手段（a）及び（b）（オンスクリーンディスプレイ表示及びインジケータ９）を設定した場合に、オンスクリーンディスプレイ表示のほうはガマット・エラーが検出されなくなったフレームで解除させるかまたは一定時間後に解除させることによって本来の映像を隠す時間を限定し、他方、インジケータ９での通知はユーザーが解除指示操作を行うまで継続させることもできるようになる。【００８０】
また、以上の実施の形態における通知手段（a）〜（c）はあくまで一例であり、互いに通知方法の異なる周知の複数の通知手段（視覚的な通知だけでなく、聴覚的な通知を行うものを含む）を設け、それらの複数の通知手段のうちのいずれにガマット・エラーを通知させるかの設定操作を操作パネル１５で行えるようにしてよい。【００８１】
また、以上の実施の形態における通知解除の条件（d）〜（f）もあくまで一例であり、これとは異なる条件（例えば、フレーム数を入力可能にし、その入力したフレーム数分の時間の経過後に解除するという条件）の設定操作を操作パネル１５で行えるようにしてもよい。【００８２】
また、以上の実施の形態では本発明をマスターモニターに採用している。しかし、本発明は、マスターモニター以外の映像表示用のモニターに採用してもよく、さらに、モニター以外の装置であって映像信号が入力される装置（例えば映像を記録する装置）にも採用してよい。
【引用符号の説明】
【００８３】
１…マスターモニター、２…映像入力部、３…ガマット・エラー検出部、４…映像処理部、５…ゼブラパターン付加部、６…映像合成部、７…液晶表示部、８…ＯＳＤ制御部、９…インジケータ、１０…インジケータ制御部、１１…タイマー、１２…フレームカウンタ、１３…マイクロプロセッサ、１４…ＮＶＲＡＭ、１５…操作パネル
【図１】
2009025102.tif 000003
【図２】
2009025102.tif 000004
【図３】
2009025102.tif 000005
【図４】
2009025102.tif 000006
【図５】
2009025102.tif 000007
【図６】
2009025102.tif 000008
【図７】
2009025102.tif 000009
【図８】
2009025102.tif 000010
【図９】
2009025102.tif 000011
【図１０】
2009025102.tif 000012
【図１１】
2009025102.tif 000013
【国際調査報告】
2009025102.tif 000014
2009025102.tif 000015
2009025102.tif 000016
2009025102.tif 000017